(57)【要約】【課題】簡単な操作で使用可能な照射器具を提供する。【解決手段】握った状態で使用される棒状の照射器具であって、長尺筒状のケースと、前記ケース内に収容され、且つ、前記ケースの内周面により押圧可能な点灯スイッチと、前記点灯スイッチに接続され、且つ、前記点灯スイッチが押圧された状態において点灯する一方、前記点灯スイッチが押圧されていない状態において消灯する光源と、を備え、前記ケースには、該ケースの長手方向に沿って延びるスリットが形成され、前記ケースは、該ケースの周方向における前記スリットの幅を狭めるように少なくとも一部が変形可能であり、前記ケースの内周面は、前記ケースの少なくとも一部が変形するとき、前記点灯スイッチを押圧する。【選択図】図１
2020068173.tif 000002
【特許請求の範囲】
【請求項１】
握った状態で使用される棒状の照射器具であって、
長尺筒状のケースと、
前記ケース内に収容され、且つ、前記ケースの内周面により押圧可能な点灯スイッチと、
前記点灯スイッチに接続され、且つ、前記点灯スイッチが押圧された状態において点灯する一方、前記点灯スイッチが押圧されていない状態において消灯する光源と、
を備え、
前記ケースには、該ケースの長手方向に沿って延びるスリットが形成され、
前記ケースは、該ケースの周方向における前記スリットの幅を狭めるように少なくとも一部が変形可能であり、
前記ケースの内周面は、前記ケースの少なくとも一部が変形するとき、前記点灯スイッチを押圧する、照射器具。
【請求項２】
前記スリットは、複数設けられ、
前記ケースは、前記スリットにより分割される複数のケース片を有し、
前記複数のケース片は、前記ケースの周方向において並ぶように配置される、請求項１に記載の照射器具。
【請求項３】
前記ケースは、該ケースの長手方向における一方側の端部である先端部と、前記ケースの長手方向における他方側の端部である基端部と、を有し、
前記先端部は、前記ケースの筒軸に近づくように径内側へ撓み可能であり、
前記基端部は、前記ケースの筒軸に対して固定されている、請求項１又は請求項２に記載の照射器具。
【発明の詳細な説明】
【技術分野】
【０００１】
本発明は、レーザーポインター、ペンライト、懐中電灯等の出射した光により対象物を照射可能な照射器具に関する。
【背景技術】
【０００２】
従来、対象物を照射可能な照射器具として、レーザー光を出射するレーザーポインターが公知である（特許文献１）。例えば、レーザーポインターは、レーザーダイオードと、レーザーダイオードを駆動する駆動装置と、電池を収容する電池ホルダーと、電池ホルダー等を収容するボディーと、作動スイッチと、を備える。このレーザーポインターは、作動スイッチが押された状態であるときレーザー光を出射することで、対象物を照射することができる。
【先行技術文献】
【特許文献】
【０００３】
【特許文献１】特開平７−１３５３６２号公報
【発明の概要】
【発明が解決しようとする課題】
【０００４】
しかしながら、上記レーザーポインターを使用する際には、作動スイッチを押すべくこのスイッチを探すといった煩雑な操作が必要であった。
【０００５】
本発明は、簡単な操作で使用可能な照射器具を提供することを目的とする。
【課題を解決するための手段】
【０００６】
本発明の照射器具は、握った状態で使用される棒状の照射器具であって、長尺筒状のケースと、前記ケース内に収容され、且つ、前記ケースの内周面により押圧可能な点灯スイッチと、前記点灯スイッチに接続され、且つ、前記点灯スイッチが押圧された状態において点灯する一方、前記点灯スイッチが押圧されていない状態において消灯する光源と、を備え、前記ケースには、該ケースの長手方向に沿って延びるスリットが形成され、前記ケースは、該ケースの周方向における前記スリットの幅を狭めるように少なくとも一部が変形可能であり、前記ケースの内周面は、前記ケースの少なくとも一部が変形するとき、前記点灯スイッチを押圧する。
【０００７】
かかる構成によれば、照射器具を強く握るといった操作により、スリットの幅を狭めるようにケースの少なくとも一部が変形することで点灯スイッチが押圧されて照射が可能となるため、簡単な操作で照射器具を使用することができる。
【０００８】
前記照射器具では、前記スリットは、複数設けられ、前記ケースは、前記スリットにより分割される複数のケース片を有し、前記複数のケース片は、前記ケースの周方向において並ぶように配置されてもよい。
【０００９】
かかる構成によれば、照射器具を握る力が周方向に並んだ各スリットの幅を狭めるようにかかるため、照射器具を握る力が強くなくてもケースが変形して照射が可能となる。
【００１０】
前記照射器具では、前記ケースは、該ケースの長手方向における一方側の端部である先端部と、前記ケースの長手方向における他方側の端部である基端部と、を有し、前記先端部は、前記ケースの筒軸に近づくように径内側へ撓み可能であり、前記基端部は、前記ケースの筒軸に対して固定されてもよい。
【００１１】
かかる構成によれば、基端部が固定されることによりケースのがたつきを抑えつつ、先端部が撓み可能であることによりケースを変形可能とできる。
【発明の効果】
【００１２】
以上より、本発明によれば、簡単な操作で使用可能な照射器具を提供することができる。
【図面の簡単な説明】
【００１３】
【図１】図１は、本実施形態に係る照射器具の斜視図である。
【図２】図２は、前記照射器具の使用前の正面図である。
【図３】図３は、前記照射器具の使用中の正面図である。
【図４】図４は、前記照射器具の分解斜視図である。
【図５】図５は、図１のＶ−Ｖ位置における断面図である。
【図６】図６は、前記照射器具の側面図であって、電源スイッチのオン状態及びオフ状態を説明するための図である。
【図７】図７は、変形例に係る照射器具の斜視図である。
【図８】図８は、変形例に係る照射器具の斜視図である。
【図９】図９は、変形例に係る照射器具の斜視図である。
【図１０】図１０は、変形例に係る照射器具の斜視図である。
【発明を実施するための形態】
【００１４】
以下、本発明の実施形態について、図１〜図６を参照しつつ説明する。照射器具は、握った状態で使用され、且つ、出射した光により対象物を照射可能な照射器具である。また、照射器具は、強く握ることにより照射可能な照射器具である。本実施形態の照射器具は、例えば、レーザー光を出射するレーザーポインターである。
【００１５】
図１〜図３に示すように、照射器具１は、棒状であり、例えば、丸棒状（円柱状）である。また、照射器具１は、長尺筒状のケース２と、図４及び図５に示すように、ケース２内に収容される点灯スイッチ３、及び、点灯スイッチ３に接続された光源４を有する本体５と、を備える。本実施形態の照射器具１は、ケース２に接続された底体６、及び、ケース２の外側に配置された長尺板状のクリップ７と、を備える。尚、照射器具１は、電池、例えば、単三乾電池から電流が供給されることにより駆動する。さらに、照射器具１は、ケース２の外表面に設けられ、且つ、点灯スイッチ３に接続される表示ランプ９と、電池の負極と正極とを導通可能な導電板１０と、この導通のオン状態とオフ状態とを切り替える電源スイッチ１１と、を備える。
【００１６】
ケース２は、例えば、長尺円筒状である（図１参照）。ケース２の材質は、例えば、樹脂である。ケース２には、ケース２の長手方向に沿って延びるスリット２０が形成されている。本実施形態のケース２には、複数のスリット２０が形成されている。また、本実施形態のケース２では、各スリット２０がケース２の長手方向の全域に延びている。このように複数のスリット２０がそれぞれケース２の長手方向の全域に延びていることにより、ケース２は、スリット２０により分割される複数のケース片２１を有する。
【００１７】
本実施形態のスリット２０は、一対のスリット２００、２０１により構成されている。一対のスリット２００、２０１は、ケース２の長手方向に沿って直線状に延びており、ケース２の中心軸（筒軸）αを介して対向する。即ち、一対のスリット２００、２０１は、ケース２の周方向において等間隔をあけて配置されている。一対のスリット２００、２０１は、この長手方向における一端側から他端側まで連続している。そのため、一対のスリット２００、２０１は、ケース２を一方のケース片２１０と他方のケース片２１１とに分割する。
【００１８】
スリット２００、２０１は、いずれも、ケース２の長手方向における一方側（図２、図３における右側）の端部であるケース先端部２２の先端縁２２０から、この長手方向における他方側（図２、図３における左側）の端部であるケース基端部２３の基端縁２３０まで延びている。また、スリット２００、２０１は、いずれも、同じ方向に延びている（図１参照）。具体的に、スリット２００、２０１は、ケース２の長手方向に沿って延びる、即ち、中心軸αに沿って延びる直線状である。このスリット２００、２０１は、中心軸αに平行な直線状に延びている。
【００１９】
ケース片２１０、２１１は、ケース２の周方向において並ぶように配置される。また、ケース片２１０、２１１は、いずれも略同じ形状であり、例えば、板状である。具体的に、ケース片２１０、２１１は長尺板状であり、ケース片２１０、２１１の短手方向における断面は円弧状である。ケース片２１０には、ケース片２１０の厚み方向に貫通した貫通孔２１２が設けられている。また、ケース片２１０の内周面には、図５に示すように、径内側に突出する二つの凸部２１３が設けられている。
【００２０】
尚、本実施形態のケース２では、ケース先端部２２とケース基端部２３とは連続している。具体的に、ケース片２１０、２１１のいずれにおいても、それぞれ、先端側の部位と基端側の部位とが連続している。
【００２１】
以上の構成により、ケース２は、スリット２０によりケース２の長手方向において延びる複数のケース片２１に分割されている（図３参照）。また、ケース２は、ケース２の周方向におけるスリット２０の幅を狭めるように少なくとも一部が変形可能である。本実施形態のケース２における変形可能な部位は、ケース先端部２２である。具体的に、ケース先端部２２は、ケース２の中心軸αに近づくように径内側へ撓み可能である。尚、ケース基端部２３は、ケース２の中心軸αに対して固定されている。
【００２２】
本実施形態のケース２では、ケース片２１０は、ケース２の周方向におけるスリット２０の幅を狭めるように少なくとも一部が変形可能である。具体的に、この変形可能な部位は、例えば、ケース片２１０の先端側の部位である。より具体的に、ケース片２１０の先端側の部位は、ケース２の中心軸αに近づくように径内側へ撓み可能である。
【００２３】
本体５は、点灯スイッチ３及び光源４に加えて、光源４や電池等を収納する収納部８を有する（図４参照）。本体５の外観は、略棒状である。
【００２４】
点灯スイッチ３は、例えば、収納部８と光源４との間に配置されている。また、点灯スイッチ３は、収納部８と表示ランプ９との間にも位置している。点灯スイッチ３は、電池と光源４とを電気的に接続可能である。さらに、点灯スイッチ３は、電池と表示ランプ９とを電気的に接続可能である。本実施形態の点灯スイッチ３は、例えば、押圧された状態においてオン状態となる一方、押圧されていない状態においてオフ状態となる動作であるモーメンタリ動作を行う。本実施形態の点灯スイッチ３は、押釦が設けられたプッシュスイッチであるが、例えば、タクタイルスイッチ、スライドスイッチ等であってもよい。尚、本実施形態の点灯スイッチ３の押釦の押圧方向は、ケース２の径方向と略一致する。
【００２５】
また、点灯スイッチ３は、ケース２の内表面により押圧可能なスイッチである。具体的に、点灯スイッチ３は、ケース２のケース先端部２２の内表面により押圧可能である。より具体的に、点灯スイッチ３は、一方のケース片２１０の先端側の部分の内表面により押圧可能である。また、点灯スイッチ３は、オン状態において電池から光源４への電流の供給を実施する一方、オフ状態において電池から光源４への電流の供給を停止する。本実施形態の点灯スイッチ３は、オン状態において電池から表示ランプ９への電流の供給を実施する一方、オフ状態において電池から表示ランプ９への電流の供給を停止する。
【００２６】
光源４は、対象物を照射するための光を出射する。また、光源４は、例えば、レーザー光を出射可能なレーザーダイオードである。本実施形態の光源４は、光の主出射方向をケース２の先端側（図５における右側）とした状態で、収納部８内に配置される。具体的に、光源４は、収納部８の先端側の部位に配置される。光源４は、点灯スイッチ３が押圧された状態において点灯する一方、点灯スイッチが押圧されていない状態において消灯する。即ち、光源４は、点灯スイッチ３がオン状態であるときに点灯する一方、点灯スイッチ３がオフ状態であるときに消灯する。
【００２７】
表示ランプ９は、光の主出射方向を前方に向けた状態で照射器具１を上方から視たときに、光源４から光が出射されているか否かを目視により確認するために設けられている。また、表示ランプ９は、例えば、発光ダイオード（ＬＥＤ）である。さらに、表示ランプ９は、光の主出射方向をケース２の短手方向とした状態で、収納部８内に配置される。具体的に、表示ランプ９は、収納部８の先端側の部位に配置されている。表示ランプ９は、ケース片２１０の貫通孔２１２を介して外部に露出する、即ち、表示ランプ９はケース２の外周面から露出する（図１参照）。
【００２８】
また、表示ランプ９は、光源４が点灯している状態において点灯する一方、光源４が点灯していない状態（消灯している状態）において消灯する。即ち、表示ランプ９は、点灯スイッチ３が押圧された状態において点灯する一方、点灯スイッチ３が押圧されていない状態において消灯する。
【００２９】
導電板１０は、例えば、金属製である。本実施形態の導電板１０は、電池に沿って湾曲した略長尺板状である（図４参照）。また、本実施形態の導電板１０には、厚み方向に貫通した二つの貫通孔１００が設けられている。
【００３０】
電源スイッチ１１は、収納部８と電池との間に設けられている。また、電源スイッチ１１は、ケース２の基端側に配置されている。さらに、電源スイッチ１１は、電池と点灯スイッチ３とを電気的に接続可能である。具体的に、電源スイッチ１１は、オン状態において電池からの点灯スイッチ３への電流の供給を行う一方、オフ状態において電池からの電流の供給を停止する。そのため、電源スイッチ１１がオフ状態である場合、点灯スイッチ３がオン状態となっても光源４は点灯しない（光源４は消灯したままとなる）。
【００３１】
本実施形態の電源スイッチ１１は、回転スイッチである。具体的に、電源スイッチ１１は、筒軸αを中心に回動可能であり、回動することでオン状態とオフ状態とで切り替わる。より具体的に、電源スイッチ１１は、ケース２の周方向に回動することで、オフ状態からオン状態へ切り替わる。尚、本実施形態の電源スイッチ１１は、ケース２の中心軸α方向から視たとき、オン状態の位置から時計回りに回動した場合においても、オフ状態の位置から反時計回りに回動した場合においてもオフ状態に切り替わるが、時計回り及び反時計回りのうちいずれかの方向に回動した場合にのみオフ状態に切り替わってもよい。
【００３２】
また、電源スイッチ１１は、略円盤状の円盤部１１０と、円盤部１１０の先端側の面から突出した突出部１１１と、を含む。円盤部１１０は、収納部８の基端側の部位を介して底体６に収納される。また、円盤部１１０は、導電板１０の基端側の端部に接続されている。突出部１１１は、コイル１１２を介して電池に接続される。
【００３３】
収納部８は、点灯スイッチ３、光源４、及び、電池等を収納する略筒状の収納本体８１と、収納本体８１の先端側を閉じる収納蓋８２と、収納本体８１の基端側から延びる筒状の収納延出筒８３と、を含む。さらに、収納部８は、点灯スイッチ３の径外側に配置された押圧板８４も含む。
【００３４】
収納本体８１の一部には、ケース２が固定されている。具体的に、収納本体８１は、先端側に位置し、且つ、点灯スイッチ３と光源４と表示ランプ９とを収納する収納先端部位８１０と、基端側に位置し、且つ、電池を収納する収納基端部位８１１と、を有し、収納基端部位８１１にケース２が固定されている。
【００３５】
収納先端部位８１０は、ケース２のケース先端部２２の内側に配置されている。また、収納先端部位８１０には、外側から押圧板８４と点灯スイッチ３とが順に重ねられた状態で配置されている。
【００３６】
収納基端部位８１１は、ケース基端部２３に固定されている。具体的に、収納基端部位８１１には、径方向においてケース片２１０の凸部２１３と重なる位置に、径内側に凹んだ凹部８１２が二つ設けられている。凹部８１２は、導電板１０の貫通孔１００とも対応した位置に設けられている。凹部８１２が、導電板１０の貫通孔１００を介して、ケース片２１０の凸部２１３に係止することにより、収納基端部位８１１はケース片２１０に固定されている。
【００３７】
収納蓋８２は、円板状である。また、収納蓋８２には、厚み方向に貫通した貫通孔である照射口８２０が設けられている。照射口８２０からは、光源４が点灯するとき光源４からの光が外部に出射する。収納延出筒８３は、電源スイッチ１１を径方向において囲むように配置されている。
【００３８】
底体６は、有底筒状であり、ケース２のケース基端部２３を閉じる。また、底体６は、例えば、ケース基端部２３に接続される筒状の底筒部６０と、底筒部６０の基端側を閉じる底カバー部６１と、を有する。底体６は、ケース基端部２３に接続された状態で、図２の姿勢と図３の姿勢との間、即ち、ケース２の周方向において中心軸αを中心に回動可能である。底筒部６０の内側には、収納延出筒８３を介して電源スイッチ１１の円盤部１１０が接続されている（図４参照）。そのため、底体６がケース２の周方向において回動することで、電源スイッチ１１も回動し、これにより、電源スイッチ１１がオン状態とオフ状態とで切り替わる。
【００３９】
底筒部６０には、厚み方向に貫通したスリット６００が設けられている。スリット６００は、クリップ７の短手方向における寸法に対応する寸法でケース２の周方向に延びる。底カバー部６１には、厚み方向に貫通した貫通孔６１０が設けられている。この貫通孔６１０には、例えば、ストラップを通すことができる。
【００４０】
クリップ７は、照射器具１を洋服のポケットや冊子等に留めるべく設けられている。また、クリップ７は、長手方向における基端側の端部７０、及び、長手方向における先端側の端部７１の両方を折り曲げた長尺板状の部材である。さらに、クリップ７は、底体６の外周面に取り付けられている。具体的に、クリップ７における基端側の端部７０は、底体６のスリット６００に差し込まれた状態で、底体６と電源スイッチ１１の円盤部１１０との間に固定されている。このように、クリップ７は、底体６に固定されているため、図６に示すように、底体６がケース２の周方向において回動することで、底体６とともに回動する。
【００４１】
本実施形態のクリップ７では、電源スイッチ１１がオフ状態であるかオン状態であるかに応じて、ケース２の長手方向における表示ランプ９との位置関係が変化する。具体的に、クリップ７は、電源スイッチ１１がオフ状態のとき、ケース２の長手方向に沿って表示ランプ９と並ぶ一方（図１、図２参照）、電源スイッチ１１がオン状態のとき、ケース２の長手方向において表示ランプ９とは並ばない（図３参照）。
【００４２】
クリップ７は、電源スイッチ１１と重なる位置からケース２の先端側へ延びている（図５参照）。具体的に、クリップ７は、ケース２の長手方向に延び、ケース２のケース基端部２３の全体に重なっている。より具体的に、クリップ７は、ケース基端部２３の先端側の端縁２３１まで延びている。即ち、クリップ７の先端側の端縁７１０は、ケース基端部２３の先端側の端縁２３１と径方向において略一致している。このように、クリップ７は、ケース２の長手方向において、ケース２のうち中心軸αに対して固定された部位（例えば、ケース基端部２３）と重なり、且つ、ケース２のうち中心軸αに近づくように径内側に撓み可能な部位（例えば、ケース先端部２２）とは重ならない。
【００４３】
本実施形態のクリップ７の周方向における全域は、電源スイッチ１１或いはケース片２１０と重なっている。具体的に、クリップ７の基端側の部位は、ケース２の長手方向において電源スイッチ１１と重なっている。クリップ７の先端側の部位は、ケース片２１０の基端側の部位、即ち、ケース片２１０のうち中心軸αに対して固定された部位と重なっている。
【００４４】
尚、クリップ７における基端側の端部７１以外の部位は、クリップ７と異なる部材に固定されていない。具体的に、クリップ７の先端側の端部７１は、ケース片２１０に重なっているのみであり、ケース片２１０に固定されていない。
【００４５】
以上の照射器具１を使用する際の操作は以下の通りである。まず、照射器具１の底体６を回動させることにより、電源スイッチ１１がオン状態となる。このとき、電源スイッチ１１の回動に伴い、導電板１０も回動し、これにより、電池と点灯スイッチ３とが導通可能となる。
【００４６】
次に、照射器具１のケース２のケース先端部２２を握ることにより、点灯スイッチ３がオン状態となり、光源４が点灯する。具体的に、ケース２のケース先端部２２のうち点灯スイッチ３の押釦の押圧方向と略一致する方向において重なる部位を握ることで、点灯スイッチ３がオン状態となり、光源４が点灯する。このとき、ケース先端部２２の内周面が径内側に撓むことにより、収納部８の押圧板８４を介して、点灯スイッチ３が押圧されてオン状態となる。本実施形態の照射器具１では、ケース２のケース先端部２２を握ることで、スリット２０の周方向における幅が小さくなり、ケース先端部２２の径は小さくなる。このとき、ケース片２１０が径内側に撓む一方、ケース片２１１が中心軸αに対して固定されたままとなるため、ケース片２１０の内周面が収納部８の押圧板８４を介して、点灯スイッチ３が押圧されてオン状態となる。
【００４７】
次に、照射器具１のケース２のケース先端部２２から手を離すことにより、点灯スイッチ３がオフ状態となり、光源４が消灯する。このとき、ケース先端部２２の内周面の径内側への撓みが解消されることにより、点灯スイッチ３の押圧が解放されて点灯スイッチ３がオフ状態となる。本実施形態の照射器具１では、ケース２のケース先端部２２から手を離すことにより、スリット２０の周方向における幅がケース先端部２２を握る前の幅に戻り、ケース先端部２２の径もケース先端部２２を握る前の径に戻る。このとき、ケース片２１０の内周面の径内側への撓みが解消されることにより、点灯スイッチ３の押圧が解放されて点灯スイッチ３がオフ状態となる。さらに、照射器具１の底体６を再び回動させることにより、電源スイッチ１１がオフ状態となる。
【００４８】
以上の照射器具１によれば、照射器具１を強く握るといった操作により、スリット２０の幅を狭めるようにケース２のケース先端部２２が変形することで、ケース先端部２２の内周面により点灯スイッチ３が押圧されて、照射器具１の照射が可能となるため、簡単な操作で照射器具１を使用することができる。
【００４９】
本実施形態の照射器具１によれば、照射器具１を握る力が周方向に並んだ各スリット２００、２０１の幅をそれぞれ狭めるようにかかるため、照射器具１を握る力が強くなくてもケース２が変形して照射が可能となる。
【００５０】
また、本実施形態の照射器具１によれば、ケース２のケース基端部２３が固定されることによりケース２のがたつきを抑えつつ、ケース２のケース先端部２２が撓み可能であることによりケース２を変形可能とできる。
【００５１】
さらに、本実施形態の照射器具１によれば、電源スイッチ１１のオフ状態では、電池からの電流の供給が行われないため、点灯スイッチ３が押圧されたとしても光源４が点灯しない、これにより、照射器具１による誤照射を抑制できる。
【００５２】
また、本実施形態の照射器具１によれば、電源スイッチ１１が回転スイッチであるため、電源スイッチ１１を設けつつ、照射器具１の長手方向における寸法をコンパクトなままとすることができる。
【００５３】
本実施形態の照射器具１によれば、クリップ７がケース２のうち撓み可能な部位（例えば、ケース先端部２２）とは重ならないため、照射器具１をクリップ７でポケット等に留めるなどしてクリップ７に力がかかっても、ケース２が変形せず、これにより、照射器具１による誤照射を防ぐことができる。
【００５４】
また、本実施形態の照射器具１によれば、電源スイッチ１１のオン状態である場合とオフ状態である場合とでクリップ７の位置がケース２の周方向において変化するため、クリップ７の位置を目視で確認することで、電源スイッチ１１がオン状態であるかオフ状態であるかを簡単に確認できる。
【００５５】
さらに、本実施形態の照射器具１によれば、電源スイッチ１１のケース２の周方向において回動するとき、クリップ７の位置が変化する一方、表示ランプ９の位置は変化しないため（図２、図３参照）、クリップ７と表示ランプ９との位置関係を目視することで電源スイッチがオン状態であるかオフ状態であるかを簡単に確認できる。
【００５６】
尚、本発明の照射器具は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００５７】
例えば、上記実施形態のスリット２０は、ケース２に一対設けられていたが、一つ、或いは、三つ以上の複数設けられてもよい。スリット２０が三つ以上設けられる場合、ケース２は三つ以上のケース片２１を含む。例えば、図７に示すように、ケース２に四つのスリット２０が設けられることにより、ケース２は長尺板状の四つのケース片２１を含んでいてもよい。この場合においても、一対のスリット２０が、中心軸αを介して対向していてもよく、これにより、ケース２は、中心軸αを介して対向する一対のケース片２１を二組含んでいてもよい。この構成では、一方の一対のケース片２１を握ったときに照射を実施し、他方の一対のケース片２１を握ったときに別の動作（マウスとしての動作やページ送り動作）を実施してもよい。
【００５８】
また、上記実施形態のスリット２０は、等間隔をあけた状態で、中心軸αを介して対向するように設けられていたが、中心軸αを介して対向しないように設けられていたり、異なる間隔をあけた状態で配置されていたりしてもよい。この場合、例えば、スリット２００が、表示ランプ９の位置を０°としてケース２の周方向において１８０°離れた位置に配置され、スリット２０１が２７０°離れた位置に配置されてもよい。また、例えば、図８に示すように、ケース２に一つのスリット２０のみが設けられてもよい。この場合、ケース２の短手方向における断面形状は、Ｃ字状である。
【００５９】
上記実施形態のスリット２０は、ケース２の中心軸αに平行な直線状に延びていたが、ケース２の長手方向に沿って延びていれば異なる方向に延びていてもよい。即ち、スリット２０の延びる方向は、ケース２の長手方向に平行な成分を含んでいればよい。具体的に、スリット２０は、ケース２の長手方向に沿った斜め方向等、例えば、ケース２の長手方向に交差する方向（ケース２の中心軸αに交差する方向）に延びていてもよい。また、スリット２０は、直線状以外に、螺旋状や波線状等の曲線状であってもよい。例えば、図９に示すように、スリット２０は、ケース２の長手方向に沿った螺旋状に延びていてもよい。
【００６０】
さらに、スリット２０は、図１０に示すように、中心軸αに平行な直線状に延びると共に、ケース２の周方向において延びていてもよい。この場合、ケース２において、ケース先端部２２とケース基端部２３とが離間することになる。この場合においても、ケース２のケース先端部２２が中心軸αに近づくように径内側へ撓み可能である一方、ケース２のケース基端部２３が中心軸αに対して固定されていてもよい。
【００６１】
また、上記実施形態のスリット２０は、ケース２の長手方向における全域に延びていたが、ケース２の長手方向における少なくとも一部に延びていればよい。例えば、スリット２０は、ケース先端部２２の先端縁２２０からケース基端部２３の途中まで延びていてもよい。また、スリット２０は、ケース先端部２２の全域のみに延びていてもよい。さらに、スリット２０は、ケース先端部２２の先端縁から、ケース先端部２２の基端側の端縁よりも先端側まで延びていてもよい。スリット２０は、ケース先端部２２の長手方向における中央領域のみに延びていてもよい。
【００６２】
上記実施形態のケース２では、ケース先端部２２のうち点灯スイッチ３の押釦の押圧方向と略一致する方向において重なる部位を握ることで、点灯スイッチ３がオン状態となっていたが、ケース先端部２２のうちこの重なる部位以外の部位を握ることで、点灯スイッチ３がオン状態となってもよく、例えば、ケース先端部２２におけるいずれの部位を握った場合においても、点灯スイッチ３がオン状態となってもよい。
【００６３】
電源スイッチ１１は、回転スイッチ以外のスイッチ、例えば、プッシュスイッチ、スライドスイッチ等であってもよい。また、電源スイッチ１１は、プッシュスイッチである場合、ケース２のケース基端部２３に接続され、且つ、ケース２の長手方向に押圧可能なスイッチであってもよい。この場合、電源スイッチ１１をプッシュスイッチとしつつ、照射器具１の径方向の寸法をコンパクトなままとすることができる。尚、照射器具１は、電源スイッチ１１を備えていなくてもよく、この場合、常に電池から点灯スイッチ３への電流が供給されている構成とすることで、照射器具１を握るだけで照射が可能となるため、照射する際の操作がさらに簡単になる。
【００６４】
照射器具１は、ケース２全体を覆うカバーを備えてもよい。このカバーの材質は、シリコン、ゴム、ＴＰＥ（熱可塑性エラストマー）、ＴＰＵ（熱可塑性ポリウレタン）等であってもよい。この場合、ケース２のスリット２０がカバーにより覆われるため、スリット２０に埃などが溜まることを防ぐことができる。
【００６５】
また、照射器具１は、マウスとしての動作やページ送り動作を行う動作スイッチを備えていてもよい。このような動作スイッチは、例えば、図１０の構成において、ケース基端部２３も中心軸αに近づくように径内側に撓み可能とした場合に、ケース基端部２３の径内側に配置されるプッシュスイッチであってもよい。この場合、ケース先端部２２を強く握ったときには照射を行い、ケース基端部２３を強く握ったときには、例えば、ページ送り動作等の照射以外の動作を行うことができる。一方、このような動作スイッチは、例えば、ケース２の外表面に設けられたプッシュスイッチであってもよい。この場合、照射を行うときにケース２を強く握り、マウスとしての動作やページ送り動作を行うときにプッシュスイッチを押すことになるため、照射とそれ以外の動作との誤操作を抑制できる。
【００６６】
照射器具１は、レーザーポインター以外の照射器具であってもよく、例えば、ペンライト、懐中電灯等であってもよい。照射器具１がペンライトである場合、このペンライトはＬＥＤを光源とするものであってもよい。照射器具１がＬＥＤを光源とするペンライトや懐中電灯である場合、電池はボタン型電池であってもよい。さらに、照射器具１がこのようなペンライトや懐中電灯である場合、例えば、照射機能に加えてバッテリー機能も備えたもの（モバイルバッテリーを兼ねたもの）であってもよい。
【００６７】
また、照射器具１の形状は丸棒状（略円柱状）以外であってもよく、例えば、角棒状、平棒状であってもよい。照射器具１の形状が角棒状や平棒状である場合、ケース２は、長尺角筒状や扁平な筒状となる。また、この場合、照射器具１は、握りやすさを向上させるべく、角を丸めた角棒状や平棒状であってもよい。
【符号の説明】
【００６８】
１…照射器具、２…ケース、２０、２００、２０１…スリット、２１、２１０、２１１…ケース片、２１２…貫通孔、２１３…凸部、２２…ケース先端部、２２０…先端縁、２３…ケース基端部、２３０…基端縁、２３１…端縁、３…点灯スイッチ、４…光源、５…本体、６…底体、６０…底筒部、６００…スリット、６１…底カバー部、６１０…貫通孔、７…クリップ、７０、７１…端部、７１０…端縁、８…収納部、８１…収納本体、８１０…収納先端部位、８１１…収納基端部位、８１２…凹部、８２…収納蓋、８２０…照射口、８３…収納延出筒、８４…押圧板、９…表示ランプ、１０…導電板、１００…貫通孔、１１…電源スイッチ、１１０…円盤部、１１１…突出部、１１２…コイル、α…中心軸（筒軸）
【図１】
2020068173.tif 000003
【図２】
2020068173.tif 000004
【図３】
2020068173.tif 000005
【図４】
2020068173.tif 000006
【図５】
2020068173.tif 000007
【図６】
2020068173.tif 000008
【図７】
2020068173.tif 000009
【図８】
2020068173.tif 000010
【図９】
2020068173.tif 000011
【図１０】
2020068173.tif 000012